(57)【要約】      （修正有）【課題】マーゲンチューブの後端部に取り付けやすい簡易な胃排出物専用の袋を含む受容容器を提供する。【解決手段】マーゲンチューブ１の後端部１ｃに着脱自在に取り付ける細管２を先端に有するシリンジ３を設け、当該シリンジ３の開口部３ａの外側面に袋４の開口部４ａを被せて袋４を着脱自在にシリンジ３に固定し、前記シリンジ３の外側に、当該胃排出物受容容器を支持物に支持させるためのフック６を設けた。【選択図】図２
0003194105.tif 000002
【実用新案登録請求の範囲】
【請求項１】
マーゲンチューブの後端部に着脱自在に取り付ける細管を先端に有するシリンジを設け、当該シリンジの開口部の外側面に袋の開口部を被せて袋を着脱自在に固定したことを特徴とする、マーゲンチューブによる胃排出物受容容器。
【請求項２】
前記袋は、未使用時は側面が重ねて丸められ、又は蛇腹が折りたたまれて縮小した構成となっており、内部に貯留してくる排出物の量に応じて袋の側面が伸びる構成としたことを特徴とする、請求項１に記載のマーゲンチューブによる胃排出物受容容器。
【請求項３】
前記シリンジの外側に、当該容器を支持物に支持させるためのフックを設けたことを特徴とする、請求項１又は２に記載のマーゲンチューブによる胃排出物受容容器。
【請求項４】
マーゲンチューブの後端部に着脱自在に取り付ける細管を有する袋状容器から成ることを特徴とする、マーゲンチューブによる胃排出物受容容器。
【請求項５】
前記袋状容器の外側に、当該袋状容器を支持物に支持させるためのフックを設けたことを特徴とする、請求項４に記載のマーゲンチューブによる胃排出物受容容器。
【考案の詳細な説明】
【技術分野】
【０００１】
この考案は、胃等の手術中や術後に胃の内容物を排出するためのマーゲンチューブ（胃管、胃管カテーテル、胃チューブ、ＮＧチューブとも言う）に取り付ける胃の排出物の受容容器に関するものである。
【背景技術】
【０００２】
従来、胃等の手術の間や術後に、胃内の減圧を図る目的で、患者の口又は鼻孔からマーゲンチューブを挿入して先端を胃の中に位置させ、胃からの排出物を当該マーゲンチューブに通し、患者の体外に排出している。特許文献１は胃カテーテルに関するもので、本件のマーゲンチューブと実質的に同じものである。
【０００３】
その際、当該マーゲンチューブの端部に胃の排出物を受け止める容器が必要であるが、このための適宜の容器が無く、手術執刀者やその補助者等がマーゲンチューブの後端部にゴム手袋の開口部をくくり付け、当該ゴム手袋内に胃の排出物を貯留している。上記ゴム手袋はその一例であり、それぞれその場で手術執刀者等が排出物を貯留する袋や容器を工夫してマーゲンチューブの端部に取り付けているのが現状である。
【先行技術文献】
【特許文献】
【０００４】
【特許文献１】特開平７−９６０３０号公報
【考案の開示】
【考案が解決しようとする課題】
【０００５】
しかしながら、手術の際、手術執刀者や補助者が前記胃の排出物を受容する袋や容器を工夫して取り付けるのは時間や手間がかかる。また、集中治療室等で使用される容器もあるが、大掛かりで使いにくいものであった。
【０００６】
この考案はこれらの点に着目し、前記マーゲンチューブの後端部に取り付けやすい簡易な胃排出物専用の、袋を含む容器を提供することを目的としたものである。
【課題を解決するための手段】
【０００７】
請求項１の考案は、マーゲンチューブの後端部に着脱自在に取り付ける細管を先端に有するシリンジを設け、当該シリンジの開口部の外側面に袋の開口部を被せて着脱自在に固定した、マーゲンチューブによる胃排出物受容容器とした。
【０００８】
また、請求項２の考案は、前記袋は、未使用時は側面が重ねて丸められ、又は蛇腹が折りたたまれて縮小した構成となっており、内部に貯留してくる排出物の量に応じて袋の側面が伸びる構成とした、請求項１に記載の、マーゲンチューブによる胃排出物受容容器とした。
【０００９】
また、請求項３の考案は、前記シリンジの外側に、当該容器を支持物に支持させるためのフックを設けた、請求項１又は２に記載の、マーゲンチューブによる胃排出物受容容器とした。
【００１０】
また、請求項４の考案は、マーゲンチューブの後端部に着脱自在に取り付ける細管を有する袋状容器から成る、マーゲンチューブによる胃排出物受容容器とした。
【００１１】
また、請求項５の考案は、前記袋状容器の外側に、当該袋状容器を支持物に支持させるためのフックを設けた、請求項４に記載のマーゲンチューブによる胃排出物受容容器とした。
【考案の効果】
【００１２】
請求項１の考案によれば、この考案のものは、胃の排出物専用の受容容器であるので、手術の執刀者やその補助者が、手術に際してその場でわざわざ胃排出物の受容容器を作る必要がない。この考案の容器を用いれば、マーゲンチューブの後端部にシリンジの細管を接続することにより容易に準備ができ、マーゲンチューブを通して胃の排出物を当該容器の袋内に貯留することが出来、極めて便利である。
【００１３】
また、請求項２の考案によれば、袋が収縮できる構成となっているため、未使用時や保管時はコンパクトな形状で場所を取らず、使用に際し、胃の排出物の排出量に応じて袋が膨らむため、排出量が多くても対応できる。
【００１４】
また、請求項３の考案によれば、シリンジの外側にフックを有するため、点滴のスタンドの横棒等に前記フックを掛ければ、当該容器はスタンドに支持され、場所を取らないとともに、手術の邪魔にならない。
【００１５】
また、請求項４の考案によれば、この考案のものは、胃の排出物専用の受容容器であるので、手術の執刀者やその補助者が、手術に際してその場でわざわざ胃排出物の受容容器を作る必要がない。この考案の容器を用いれば、マーゲンチューブの後端部に袋状容器の細管を接続することにより容易に準備ができ、マーゲンチューブを通して胃の排出物を当該袋状容器内に貯留することが出来、極めて便利である。
【００１６】
また、請求項５の考案によれば、袋状容器の外側にフックを有するため、点滴のスタンドの横棒等に前記フックを掛ければ、当該容器はスタンドに支持され、場所を取らないとともに手術の邪魔にならない。
【図面の簡単な説明】
【００１７】
【図１】この考案の実施の形態例１の胃排出物受容容器に使用するマーゲンチューブの斜視図である。
【図２】この考案の実施の形態例１の胃排出物受容容器にマーゲンチューブの端部を接続した状態の正面図である。
【図３】この考案の実施の形態例１の胃排出物受容容器であって、伸縮機能を有する容器の使用前の状態を示す正面図である。
【図４】この考案の実施の形態例１の胃排出物受容容器であって、伸縮機能を有する他の容器の使用前の状態を示す正面図である。
【図５】この考案の実施の形態例２の胃排出物受容容器にマーゲンチューブの端部を接続した状態の正面図である。
【考案を実施するための形態】
【００１８】
（実施の形態例１）
この考案の実施の形態例１の胃排出物受容容器Ａを図１〜４に基づいて説明する。
【００１９】
図１に示すように、マーゲンチューブ１はシリコンから成るチューブ状のもので、手術前に患者の鼻孔から挿入して食道を通し、胃内まで先端部１ａを挿入する。先端部１ａには小孔１ｂを複数有し、手術後、当該小孔１ｂから胃液等の胃の内容物を挿入し、当該マーゲンチューブ１内を通して後端部１ｃから患者の体外へ排出するものである。
【００２０】
この考案では、前記マーゲンチューブ１の後端部１ｃに接続する胃排出物受容容器Ａを用意した。当該胃排出物受容容器Ａは、前記マーゲンチューブ１の後端部に着脱自在に接続可能な細管２を有するシリンジ３と、当該シリンジ３の開口部３ａに接続したゴム又は合成樹脂から成る袋４から構成されている。具体的には、当該袋４はその開口部４ａを前記シリンジ３の開口部３ａの外周に被せ、その上から紐又はゴム５を巻き付け、シリンジ３に袋４を固定したものである。また、前記細管２の脇のシリンジ３の外周に、フック６の基部を回転自在に接続したものである。
【００２１】
使用に際しては、前記マーゲンチューブ１の後端部１ｃ内に、シリンジ３の先端の細管２を挿入してマーゲンチューブ１と当該胃排出物受容容器Ａを接続し、フック６を点滴スタンド（図示省略）の横棒等に引っ掛け、当該容器Ａを点滴スタンドに吊るすことが出来る構成となっている。
【００２２】
そして、使用後、当該胃排出物受容容器Ａの袋４内に胃の排出物がいっぱいとなった場合、前記紐又はゴム５を外して袋４をシリンジ３から外し、新しい袋４に取り替えることが出来る。また、前記袋４を外して、ブランジャー等をシリンジ３内に入れて胃の内容物を吸引することもできる。また、当該胃排出物受容容器Ａの使用後、マーゲンチューブ１の後端部１ｃからシリンジ３を外して胃排出物受容容器Ａを廃棄し、新しい当該胃排出物受容容器Ａをマーゲンチューブ１に接続しても良い。
【００２３】
前記袋４は一定の大きさのものであるが、これに代えて、図３及び図４に示すように、伸縮自在な袋７又は８をシリンジ３に接続しておき、使用前は小さな袋７又は８とし、胃の排出物の量に応じて、袋７又は８が伸びる構成としても良い。これにより当該胃排出物受容容器Ａの使用前や保管時の体積を小さくしておき、場所を取らないものとしておくこともできる。
【００２４】
図３に示すものは、伸縮自在な袋７の側面が予め巻き付いて丸くなっており、伸縮自在な袋７の体積又は容積は小さくなっている。伸縮自在な袋７の中に排出物が溜まってくるとその重さで、伸縮自在な袋７の側面の巻き付けが解かれ、伸縮自在な袋７は大きくなっていく。
【００２５】
また、図４に示すものは、伸縮自在な袋８の側面が蛇腹式に折り畳まれており、伸縮自在な袋８の体積は小さくなっている。伸縮自在な袋８の中に排出物が溜まってくるとその重さで、伸縮自在な袋８の側面の蛇腹が広がり、伸縮自在な袋８は大きくなっていく。
【００２６】
（実施の形態例２）
次にこの考案の実施の形態例２の胃排出物受容容器Ｂを図５に基づいて説明する。実施の形態例２の胃排出物受容容器Ｂは、図５に示すように、細管９を上端中央部に有する袋状容器１０から成り、当該袋状容器１０は合成樹脂製の袋である。また、当該袋状容器１０の上端縁角部には、フック１１の基部が搖動自在に取り付けられている。
【００２７】
使用に際しては、前記マーゲンチューブ１の後端部１ｃに前記細管９を嵌め、前記フック１１を点滴スタンド（図示省略）の横棒等に引っ掛け、当該容器Ｂを点滴スタンドに吊るすことが出来る構成となっている。
【００２８】
なお、上記実施の形態例１及び２では、フック６又は１１を設けて点滴スタンドやその他の物に吊るすことが出来る構成となっているが、フックを設けず、適宜の場所に胃排出物受容容器Ａ又はＢを載置して使用することもできる。
【符号の説明】
【００２９】
Ａ      胃排出物受容容器              Ｂ      胃排出物受容容器
１      マーゲンチューブ              １ａ    先端部
１ｂ    小孔                          １ｃ    後端部
２      細管                          ３      シリンジ
４      袋                            ５      紐又はゴム
６      フック                        ７      伸縮自在な袋
８      伸縮自在な袋                  ９      細管
１０    袋状容器                      １１    フック
【図１】
0003194105.tif 000003
【図２】
0003194105.tif 000004
【図３】
0003194105.tif 000005
【図４】
0003194105.tif 000006
【図５】
0003194105.tif 000007